(57)【要約】【課題】表示装置とデータ送信装置をケーブルで接続する手間が必要がなく、メッセージデータをデータ送信装置から表示装置に送る際の作業工数を低減できるメッセージ表示システムを提供することにある。【解決手段】携帯電話機等の移動体通信端末からなるデータ送信装置２は、表示装置１の表示部１１で表示させたいメッセージデータを赤外線信号によって送信する赤外線送受信部１６を備えている。表示装置１は、データ送信装置２が送信する赤外線信号を受信する赤外線送受信部２２と、受信した赤外線信号から取得されたメッセージデータを記憶する内部記憶部を備え入力部から入力された表示指定信号により指定されたメッセージデータを内部記憶部から読み出して表示部１１で表示させるようになっている。【選択図】図１
2008160599.tif 000002
【特許請求の範囲】
【請求項１】
操作部を備える携帯用のデータ送信装置と、該データ送信装置から予め受け取って記憶してある複数のメッセジーデータから、外部より入力される表示指定信号にて指定されたメッセージデータを読み出して表示部でメッセージを表示させる表示装置とを組み合わせたメッセージ表示システムであって、
前記データ送信装置は、前記表示装置で表示させたいメッセージデータを記憶する第１の記憶部と、該第１の記憶部で記憶された前記メッセージデータを無線信号により送信する無線送信部とを備えてなり、
前記表示装置は、前記無線送信部が送信する無線信号を受信する無線受信部と、該無線受信部で受信した無線信号から取得された前記メッセージデータを記憶する第２の記憶部と、前記表示指定信号を入力する入力部と、前記無線受信部で受信される前記メッセージを前記第２の記憶部に記憶させるとともに、前記入力部から入力された指定信号により指定されたメッセージデータを前記第２の記憶部から読み出して前記表示部で表示させる制御部とを備えてなることを特徴とするメッセージ表示システム。
【請求項２】
前記表示装置は、前記無線受信部で受信した無線信号から取得する前記メッセージデータの誤りの有無をチェックする誤り検知部を備え、前記制御部は、前記誤り検知部で誤りが検知されると、誤り検知を報知する機能を備えていることを特徴とするメッセージ表示システム。
【請求項３】
前記データ送信装置から送信されるメッセージデータに、当該メッセージデータの送信先の前記表示装置を特定する固有符号を含み、前記表示装置の制御部は、無線信号で送られきたメッセージデータ中の前記固有符号に基づき、当該メッセージデータを取得の判断を行うことを特徴とする請求項１又は２記載のメッセージ表示システム。
【請求項４】
前記データ送信装置は、移動体通信網に接続される移動体通信端末からなり、前記無線送信部として移動体通信端末が備えている赤外線送受信部を用い、前記表示装置には前記無線受信部として、前記赤外線送受信部に対応した赤外線受信部を備えていることを特徴とする請求項１乃至３の何れか１項に記載のメッセージ表示システム。
【発明の詳細な説明】
【技術分野】
【０００１】
本発明は、メッセージを表示する表示装置と、該表示装置で表示させるメッセージデータを表示装置に送るデータ送信装置とからなるメッセージ表示システムに関するものである。
【背景技術】
【０００２】
従来、各機器等に併設或いは組み込まれ、機器や機器をコントロールするＰＬＣ（Programmable  Logic  Controller）等からの信号を受けて文字や、グラフィック等によりメッセージ表示を行う表示器（表示装置）が提供されている（例えば、特許文献１）。
【０００３】
特許文献１に開示されている表示器では、パーソナルコンピュータで作成されたメッセージデータを、パーソナルコンピュータの汎用の通信部と、変換器とを介して表示器へ転送させるようになっており、パーソナルコンピュータの通信部と、変換器との間及び変換器と表示器との間の接続をケーブルによって行っていた。
【特許文献１】特開２００１−１８８５１２号公報
【発明の開示】
【発明が解決しようとする課題】
【０００４】
上述の特許文献１に開示されているようにケーブルを用いて表示器とパーソナルコンピュータとを接続してメッセージデータを表示器に送ってセットする構成では、多数の表示器に同じメッセージデータを初期設定するような場合、非常に手間がかかるという課題があった。
【０００５】
また、機器に組み込んだ表示器のメッセージデータの修正や、新規追加する場合にもケーブルを用いて行うため、一旦表示器を機器から外す等必要があり、これまた非常に面倒であった。
【０００６】
本発明は、上述の点に鑑みて為されたもので、その目的とするところは、表示装置とデータ送信装置をケーブルで接続する手間が必要がなく、メッセージデータをデータ送信装置から表示装置に送る際の作業工数を低減できるメッセージ表示システムを提供することにある。
【課題を解決するための手段】
【０００７】
上述の目的を達成するために、請求項１の発明では、操作部を備える携帯用のデータ送信装置と、該データ送信装置から予め受け取って記憶してある複数のメッセジーデータから、外部より入力される表示指定信号にて指定されたメッセージデータを読み出して表示部でメッセージを表示させる表示装置とを組み合わせたメッセージ表示システムであって、前記データ送信装置は、前記表示装置で表示させたいメッセージデータを記憶する第１の記憶部と、該第１の記憶部で記憶された前記メッセージデータを無線信号により送信する無線送信部とを備えてなり、前記表示装置は、前記無線送信部が送信する無線信号を受信する無線受信部と、該無線受信部で受信した無線信号から取得された前記メッセージデータを記憶する第２の記憶部と、前記表示指定信号を入力する入力部と、前記無線受信部で受信される前記メッセージを前記第２の記憶部に記憶させるとともに、前記入力部から入力された指定信号により指定されたメッセージデータを前記第２の記憶部から読み出して前記表示部で表示させる制御部とを備えてなることを特徴とする。
【０００８】
請求項１の発明によれば、無線信号によってメッセージデータをデータ送信装置から表示装置に送ることができるので、表示装置とデータ送信装置をケーブルで接続する必要がなく、複数の表示装置に同じメッセージデータを初期セットするような場合に、データ送信装置からメッセージデータを各表示装置に同時に送信することができ、一々ケーブルの接続を行うような場合に比べて大幅な作業工数の削減が図れ、また表示装置を機器に組み込み後や、付設した後に、新たなメッセージデータを追加する場合や、修正更新するような場合においても、ケーブルの接続が必要がないため、機器に組み込んだ状態や付設した状態のまま表示装置にデータ送信装置からメッセージデータを送ることができる。
【０００９】
請求項２の発明では、請求項１の発明において、前記表示装置は、前記無線受信部で受信した無線信号から取得する前記メッセージデータの誤りの有無をチェックする誤り検知部を備え、前記制御部は、前記誤り検知部で誤りが検知されると、誤り検知を報知する機能を備えていることを特徴とする。
【００１０】
請求項２の発明によれば、外乱ノイズ等の影響でデータ送信装置から表示装置に送ったメッセージデータに誤りがあった場合に、これを報知することができるため、多数の表示装置に一度にメッセージデータを送信するような場合に、誤りがあった表示装置の発見が容易となって、メッセージデータの再送信などの対処が迅速に行える。
【００１１】
請求項３の発明では、請求項１又は２の発明において、前記データ送信装置から送信されるメッセージデータに、当該メッセージデータの送信先の前記表示装置を特定する固有符号を含み、前記表示装置の制御部は、無線信号で送られきたメッセージデータ中の前記固有符号に基づき、当該メッセージデータを取得の判断を行うことを特徴とする。
【００１２】
請求項３の発明によれば、メッセージ装置からメッセージデータを表示装置に送る際に、対象となる表示装置のみに送ることができる。
【００１３】
請求項４の発明では、請求項１乃至３の何れかの発明において、前記データ送信装置は、移動体通信網に接続される移動体通信端末からなり、前記無線送信部として移動体通信端末が備えている赤外線送受信部を用い、前記表示装置には無線受信部として、前記赤外線送受信部に対応した赤外線受信部を備えていることを特徴とする。
【００１４】
請求項４の発明によれば、赤外線送受信部を備えた移動体通信端末をそのままデータ送信装置として用いることができ、特に移動体通信網を介して遠隔地にあるメッセージデータ作成手段から移動体通信端末に対してメッセージデータを送ることや、移動体通信端末にメッセージ送信装置としてのアプリケーションソフトウェアを送ることもできるため、データ送信装置として単機能装置を準備する場合に比してコスト低減も図れるという効果がある。
【発明の効果】
【００１５】
本発明は、無線信号によってメッセージデータをデータ送信装置から表示装置に送ることができるので、表示装置とデータ送信装置をケーブルで接続する必要がなく、複数の表示装置に同じメッセージデータを初期セットするような場合に、データ送信装置からメッセージデータを各表示装置に同時に送信することができ、一々ケーブルの接続を行うような場合に比べて大幅な作業工数の削減が図れ、また表示装置を機器に組み込み後や、付設した後に、新たなメッセージデータを追加する場合や、修正更新するような場合においても、ケーブルの接続が必要がないため、機器に組み込んだ状態や付設した状態のまま表示装置にデータ送信装置からメッセージデータを送ることができるという効果がある。
【発明を実施するための最良の形態】
【００１６】
以下本発明を実施形態により説明する。
（実施形態１）
図１は、本実施形態のシステム構成図を示し、本実施形態は機器に組み込んだり付設される表示装置１と、移動体通信端末（例えば携帯電話機）からなるデータ送信装置２とを基本的な構成要素として備え、移動体通信端末をデータ送信装置２として機能させるためのアプリケーションソフトウェア（以下アプリケーションと略す）をインターネット及び移動体通信網からなるネットワーク３を通じて提供したり、表示装置１にセットするためのメッセージデータをデータ送信装置２に提供するサーバコンピュータ装置４が補助的な要素として用いられる。
【００１７】
表示装置１は、図２（ａ）に示すように筐体１０の前面部に液晶表示器等の表示部１１と、赤外線信号の送受信窓１２と、筐体１０内には、内部記憶部１４と、当該表示装置１を組み込む機器や付設する機器或いは機器をコントロールするＰＬＣ等からの信号線が接続されて、設備機器から表示指定信号を入力するための入力部１５と、送受信窓１２に設けた受光素子及び発光素子によって無線信号（以下赤外線信号という）の送受信を行うとともに、受信データの復調と送信データによる変調とを行う機能を備えた赤外線送受信部１６と、表示装置１の全体の制御と信号処理とを行うマイクロコンピュータからなる制御部１７と、外部から電源供給を受けて内部の各部に動作電源を供給するための電源部（図示せず）とを備えている。
【００１８】
ここで制御部１７は、赤外線送受信部１６を通じて復調された受信データを取り込んで、受信信データが所定形式のメッセージデータがあれば、該メッセージデータのパリティチェックを行ってデータに誤りの有無を検知し、その検知結果を表示部１１で表示させるとともに、報知データを所定形式の赤外線信号で赤外線送受信部１６から送信させる誤り検知部としての機能と、誤りがない場合に受信したメッセージデータを表示指定用の番号を付して内部記憶部（第２の記憶部）１４に書き込み保存させるデータ保存処理機能と、組み込み若しくは併設する機器やＰＬＣ等から入力部１５に送られてきた表示指定信号が示す指定番号に対応したメッセージデータを内部記憶部１４から読み出して表示部１１に送って表示させる表示制御機能とを備えている。
【００１９】
一方携帯電話機からなるデータ送信装置２は、図３（ａ），（ｂ）に示すように、テンキー等の操作部２０と、液晶表示器からなる表示部２１と、送受光窓２２ａ内の発光素子及び受光素子によって赤外線信号（無線信号）の送受信を行う赤外線送受信部２２と、移動体通信網との間でデータ授受を行うための通信部２３と、携帯電話機の各部の制御と信号処理を行うマイクロコンピュータ等から構成される制御部２４と、内部記憶部（第１の記憶部）２５と、カード式メモリからなる記憶メディア２６を着脱自在に装着するスロット（図示せず）とを標準的なハードウェアとして備え、内部記憶部２５には、携帯電話機の全体の制御・信号処理を司るためのオペレーティングシステム用のソフトウェア、携帯電話機の機能以外に付加的な機能（本実施形態ではデータ送信装置２としての機能）を付加するためのアプリケーション、更に各種データを格納するようになっている。また記憶メディア２６にはアプリケーションや各種データが書き込まれ、スロットに装着することでアプリケーションを制御部３２で実行されたり、或いはデータの読み書きが為されるようになっている。図中２２ａは赤外線信号の送受光窓である。
【００２０】
尚データ送信装置２のハードウェア自体は既存の携帯電話機の基本構成をそのまま使用するので、詳細な説明は省略する
次に本実施形態の動作を図４（ａ）、（ｂ）のフローチャート及び図５（ａ），（ｂ）に基づいて説明する。
【００２１】
まず、データ送信装置２として用いる携帯電話機において、データ送信装置用のアプリケーションをネットワーク３上のサーバコンピュータ装置４からダウンロードする必要がある場合には、当該携帯電話機が備えているアプリケーションダウンロード機能を表示部２１のメニュー画面から選択して起動させると、携帯電話機２は図４（ａ）に示すように移動体通信網からインターネットに接続され、またＷｅｂ画面が表示部２１に表示されることになる（Ｓ１）。
【００２２】
そしてサーバコンピュータ装置４が構築するアプリケーションをダウンロードするためのＷｅｂサイトのＵＲＬを画面上の入力欄に操作部２０を用いて入力すると（Ｓ２）、ダウンロード用Ｗｅｂサイトに接続され（Ｓ３）、このＷｅｂサイトのダウンロードメニュー画面から所定のデータ送信装置用のアプリケーションを選択し（Ｓ４）、ソフトウェアダウンロードを行う（Ｓ５）。このダウンロードされたダウンロードソフトウェアは内部記憶部２５に格納保存される。この後、操作部２０の操作によってメニュー画面などに戻れば、アプリケーションのダウンロードが終了する。
【００２３】
そしてこのダウンロードしたアプリケーションを起動させると、制御部２４の働きによりメッセージ作成のエディタ機能や、表示装置１に対するメッセージデータ送信のための機能を持つデータ送信装置２として当該携帯電話機が機能することになる。
【００２４】
さて図４（ｂ）で示すようにアプリケーションを起動する（Ｓ１１）と、まず、制御部２４は内部記憶部２５にメッセージデータのファイルが既にあるか否かをチェックし（Ｓ１２）、ファイルがなければファイル新規作成（Ｓ１３）の画面、ファイルがあれば当該ファイルを開き（Ｓ１４）、表示部２１に表示させる。
【００２５】
図５（ａ）の画面はファイルがある場合を示しており、この画面上には、ファイルメニューをプルダウン表示させるファイル釦Ｂ１と、対象とする表示装置１の機種選択メニューをプルダウン表示させるための機種選択釦Ｂ２と、赤外線通信のためのメニューをプルダウン表示させるための通信設定釦Ｂ３、更にはヘルプメニューをプルダウン表示させるヘルプ釦Ｂ４、転送メニューをプルダウン表示させるの転送釦Ｂ５、更に転送状態の履歴ファイルを呼び出すためのオプション釦Ｂ６が表示される。
【００２６】
これらの釦Ｂ１〜Ｂ６の操作によりファイル操作やデータ転送操作、更に設定等が行えるようになっている。
【００２７】
今図５（ａ）に示す画面において、ファイルメニューをプルダウン表示させ、初期作成を選べば、表示されている枠内の各欄が空欄となって新規にメッセージ内容（文字内容）、更に表示色、メッセージの表示形態（流れや静止）、文字点滅の要否を夫々入力することができるようになる。また修正追加の場合にはこの表示されている画面において、各欄の内容の修正や空き欄への新規追加作成等の編集ができることになる（Ｓ１５）。これらの作成入力はデータ送信装置２が備えている文字入力機能を用いて制御部２４の制御下で行う。
【００２８】
さて新規作成や、編集などが終了するとファイルメニューから新規作成の場合にはファイル名をファイル名欄に記入して保存したり、或いは既存ファイルでは上書き保存するなどの選択ができるようになっており、これら選択指示によって制御部２４は内部記憶部２５にファイル保存を行う（Ｓ１６、Ｓ１５）。またファイルメニューから表示されているファイルを閉じる指示や作成や修正の終了の指示があると、制御部２４は、表示しているファイルを閉じたり、データ送信装置２の通常の待機状態に戻る処理を行う。
【００２９】
一方新規作成したファイル内容や修正したファイル内容を表示装置１に送信（転送）する場合には、転送メニューをプルダウン表示させる。この転送メニューでは送信するメッセージデータとしてファイル全体とするか、或いは指定したメッセージデータのみかを選択することができ、また送信対象となる表示装置１を１台とするのか或いは複数の表示装置１とするかを選択できるようになってるなっている。
【００３０】
而してファイル保存後、ユーザーが転送メニューから、転送する対象をファイル全体か、指定したメッセージデータかを選択した後、転送を指示すると、制御部２４は赤外線送受信部２２から赤外線信号によってメッセージデータをファイル単位で転送するか選択されたメッセージデータを送信させる処理を行う（Ｓ１７）。
【００３１】
これにより、赤外線信号の到達範囲内にある表示装置１では赤外線信号によって送信されたメッセージデータのファイルを制御部１７が取り込み、誤りがなかった場合には内部記憶部１４に記憶保存するとともに誤りがなかったことを表示部１１で表示してユーザーに示し且つ赤外線送受信部１６を通じて誤りがなかったことを示す報知データを赤外線信号によりデータ送信装置２へ送信する。一方、誤りがあった場合には、表示装置１では取得したメッセージデータを破棄した上で、表示部１１で誤りがあったことを表示し、且つ誤りがあったことを示す報知データを赤外線信号によりデータ送信装置２へ送信する。
【００３２】
表示装置１から誤りの有無を示す報知データが赤外線信号によって送信されると、データ送信装置２の制御部２４では、送信対象の表示装置１の台数を１台としている場合には、赤外線送受信部２２で受信復調された誤りの有無を示す報知データを取り込み、その報知データに基づいてデータ通信履歴ファイルに送信結果を書き込む処理を行い、内部記憶部２５に記憶保存する。
【００３３】
また制御部２４は、データ送信装置２用のアプリケーションが起動されている状態で、表示画面上のオプション釦Ｂ６が操作されると、データ通信履歴ファイルを内部記憶部２５から読み出して図５（ｂ）に示すように表示部２０で表示させることができるようになっている。
【００３４】
従って、このデータ通信履歴ファイルの結果の欄に○印が記入されていないファイルがあれば、ユーザーは表示装置１にデータが正しく受信されずに誤りが有ったことを知ることができ、再度このファイルを表示装置１に転送させることで、最終的に正しいファイル（メッセージデータ）を表示装置１に送ることができることになる。勿論ユーザーは表示装置１の表示部１１での表示によって誤りの有無を知ることもできる。
【００３５】
一方、図６に示すように機器に組み込む前に複数の表示装置１に同じメッセージデータ或いはファイルを一度に送信する場合には、データ送信装置２の赤外線送受信部２２の赤外線通信エリアに対象となる表示装置１を並べておき、一度の操作で全表示装置１にメッセージデータのファイルを転送することができる。そしてこの場合送信データの誤りの有無を示す報知データが赤外線信号で各表示装置１から送られてきても、予め送信対象を複数として選択しておけば、これら報知データを無視してデータ通信履歴ファイルへの書き込みは行わない。しかし誤りの有無は、個々の表示装置１の表示部１１で図示するように、例えば誤りがない場合には”Ｆｉｌｅ０１  ＯＫ”というようにファイル名と「ＯＫ」という文字が表示され、誤りがあった場合には例えばエラーを示す文字などが表示されるため、ユーザーはどの表示装置１で誤りがあったか或いはなかったかを簡単に知ることができ、誤りがあった表示装置１に対して再度ファイルを送る対処が容易となる。
【００３６】
尚メッセージデータをデータ送信装置２上で作成せず、サーバコンピュータ装置４からインターネット、移動体通信網からなるネットワーク３を通じて取得するようにすれば、ユーザーがメッセージデータを作成する手間が省け、またサーバコンピュータ装置４で一括管理することができる上に、データ送信装置２を携帯電話機で構成するため、移動体通信網が存在する地域（国）であれば、移動体通信網を通じてサーバコンピュータ装置４が遠隔地にあっても、データやアプリケーションを受け取ることができ、また携帯電話機をデータ送信装置２として用いるため、既にユーザーが携帯電話機を所有している場合には、表示装置１さえ購入すればシステムの構築が図れる。
【００３７】
勿論データ送信装置２としては、赤外線送受信部を備えているノートパソコン或いはＰＤＡと、データ通信用のカード式移動体通信端末とを併用した構成で実現しても良いし、赤外線送受信部を備え且つ携帯できる小型の単機能のデータ送信装置であっても勿論良い。
【００３８】
更に赤外線送受信部以外としては携帯電話機やノートパソコンに備わっているBluetooth（登録商標）を利用し、表示装置１側にも対応する機能を備えていても勿論良い。
【００３９】
また、データ送信装置２から送信するメッセージデータ（そのファイル）を送信対象となる表示装置１を指定して送信するために、メッセージデータに固有符号を付し、この固有符号と対応する個別符号を表示装置１に持たせることで、表示装置１が混在するような場合にあっても送信対象となる表示装置１のみにメッセージデータ（ファイル）を送ることができる。また複数の表示装置１を対象とする場合にはそれに対応する符号を付すことで、一度に複数の表示装置１へデータ送信を送る利便性は損なわない。また個別符号を誤り検知の報知データに付して表示装置１から送信させれば、複数の表示装置１にデータ送信を行う場合において、誤りがあった表示装置１をデータ送信装置２側で識別表示させることも可能となる。
【図面の簡単な説明】
【００４０】
【図１】一実施形態のシステム構成図である。
【図２】一実施形態に用いる表示装置を示し（ａ）は外観斜視図、（ｂ）は回路構成図である。
【図３】一実施形態に用いる移動体通信端末を示し（ａ）は正面図、（ｂ）は回路構成図である。
【図４】（ａ）は一実施形態に用いる移動体通信端末でのアプリケーションのダウンロード時の動作説明用フローチャート、（ｂ）はメッセージデータのファイル作成時の動作説明用フローチャートである。
【図５】（ａ）、（ｂ）は夫々一実施形態に用いる移動体通信端末の表示部の表示画面例図である。
【図６】一実施形態のデータ送信装置から複数の表示装置にメッセージデータ或いはファイルを送信する例の説明図である。
【符号の説明】
【００４１】
１  表示装置
１０  筐体
１１  表示部
１２  送受光窓
１４  内部記憶部
１５  入力部
１６  赤外線送受信部
１７  制御部
２  データ送信装置
２０  操作部
２１  表示部
２２  赤外線送受信部
２２ａ  送受光窓
２４  制御部
２５  内部記憶部
【図１】
2008160599.tif 000003
【図２】
2008160599.tif 000004
【図３】
2008160599.tif 000005
【図４】
2008160599.tif 000006
【図５】
2008160599.tif 000007
【図６】
2008160599.tif 000008